(57)【要約】【課題】ユーザの使用状況に応じた通信相手及び機能の候補を表示する端末装置及びプログラムを提供する。【解決手段】複数の機能を有する端末装置１００は、他端末装置と通信を行う相手情報を記憶し、自端末装置の状況を示す状況情報を生成し、前記他端末装置を特定する相手情報と、前記状況情報と、その時点で機能していた機能と、を対応付ける履歴情報を記憶する。機能を自動選択する指示に応答して、前記状況情報が示す現在の状況と前記履歴情報が示す過去の状況とのマッチングに基づいて、相手の候補と機能の候補とを求めて表示することを特徴とする。【選択図】図１
2009049892.tif 000002
【特許請求の範囲】
【請求項１】
複数の機能を備える端末装置であって、
コミュニケーションの相手と前記複数の機能のうちの任意の機能とを特定する特定手段と、
前記特定手段により特定された相手に関し、特定された機能を実行する実行手段と、
自端末装置の状況を示す状況情報を生成する状況情報生成手段と、
前記実行手段により特定された機能が実行されたときに、前記特定手段により特定された相手を示す相手情報と、特定及び実行された機能と、前記状況情報生成手段により生成された状況情報と、を対応付ける情報を記憶する履歴記憶手段と、
前記状況情報生成手段が生成した自端末装置の状況情報と、前記履歴記憶手段が記憶している情報に含まれている状況情報とのマッチングに基づいて、コミュニケーションの相手の候補と実行する機能の候補との組を求めて表示する候補表示手段と、
を備えることを特徴とする端末装置。
【請求項２】
他の端末装置と通信を行って通信機能を実行する通信手段と、コミュニケーションの相手と各相手が使用する端末装置とを対応付ける相手情報を記憶する相手情報記憶手段と、を更に備え、
前記通信手段は、他の端末装置から該端末装置の状況を示す状況情報を受信し、
前記履歴記憶手段は、前記実行手段が所定の機能を実行したときに、前記特定手段が特定したコミュニケーションの相手が使用する相手端末装置を前記相手情報に基づいて特定し、特定した端末装置の状況情報を前記自端末装置の状況情報と共に記憶し、
前記候補表示手段は、前記状況情報生成手段が生成した現在の自端末装置の状況情報及び前記通信手段が受信した他の端末装置の状況情報と、前記履歴記憶手段が記憶している情報に含まれている自端末装置の状況情報及び前記相手端末装置の状況情報とのマッチングに基づいて、コミュニケーションの相手の候補と実行する機能の候補との組を求めて表示する、
ことを特徴とする請求項１に記載の端末装置。
【請求項３】
前記状況情報は、前記端末装置の所在を示す場所、設定、及び計時された時刻を特定する情報を含む、ことを特徴とする請求項１又は２に記載の端末装置。
【請求項４】
複数の機能を備える端末装置を制御するコンピュータに、
コミュニケーションの相手と前記複数の機能のうちの任意の機能とを特定する特定機能と、
前記特定機能により特定された相手に関し、特定された機能を実行する実行機能と、
自端末装置の状況を示す状況情報を生成する状況情報生成機能と、
前記実行機能により特定された機能が実行されたときに、前記特定機能により特定された相手を示す相手情報と、特定及び実行された機能と、前記状況情報生成機能により生成された状況情報と、を対応付ける情報を記憶する履歴記憶機能と、
前記状況情報生成機能が生成した自端末装置の状況情報と、前記履歴記憶機能が記憶している情報に含まれている状況情報とのマッチングに基づいて、コミュニケーションの相手の候補と実行する機能の候補との組を求めて表示する候補表示機能と、
を実現させるプログラム。
【発明の詳細な説明】
【技術分野】
【０００１】
本発明は、コミュニケーションの相手と、該相手に対し実行する機能とを表示する端末装置、及び、プログラムに関する。
【背景技術】
【０００２】
近年、携帯電話機などの通信端末装置は、高機能化が進んでおり、基本機能である通話機能以外の種々の機能を備えている。例えば、電子メール機能や、電話帳機能や、位置認識機能なども付加されている。電話帳機能を利用することにより、通信相手情報である電話番号や電子メールアドレス等を登録することができる。
【０００３】
しかし、多数の登録された通信相手情報の中から所望の情報を探し出すための操作は煩雑であった。そこで、新規の電子メールを作成する場合には、通信相手との通信頻度（通信回数）に基づいて、通信相手先候補を表示させる構成が提案されている（例えば、特許文献１参照。）。
【特許文献１】特開２００５−１５９８７４号公報
【発明の開示】
【発明が解決しようとする課題】
【０００４】
特許文献１に開示されている構成では、通信相手先の候補が表示されるのは、新規の電子メールを作成する場合に限られていた。このため、所望の通信相手と通話等を行うための操作が煩雑であった。
同様の問題は、通信に限らず、様々な機能を適宜選択して実行する操作についても煩雑であった。
【０００５】
本発明は、上記問題に鑑みてなされたものであり、端末装置が備える機能を実行する操作を容易にする端末装置及びプログラムを提供することを目的とする。
また、本発明は、ユーザの使用状況に応じた通信相手や機能を表示する端末装置及びプログラムを提供することを目的とする。
【課題を解決するための手段】
【０００６】
上記の目的を達成するため、本発明の第１の観点に係る端末装置は、
複数の機能を備える端末装置であって、
コミュニケーションの相手と前記複数の機能のうちの任意の機能とを特定する特定手段と、
前記特定手段により特定された相手に関し、特定された機能を実行する実行手段と、
自端末装置の状況を示す状況情報を生成する状況情報生成手段と、
前記実行手段により特定された機能が実行されたときに、前記特定手段により特定された相手を示す相手情報と、特定及び実行された機能と、前記状況情報生成手段により生成された状況情報と、を対応付ける情報を記憶する履歴記憶手段と、
前記状況情報生成手段が生成した自端末装置の状況情報と、前記履歴記憶手段が記憶している情報に含まれている状況情報とのマッチングに基づいて、コミュニケーションの相手の候補と実行する機能の候補との組を求めて表示する候補表示手段と、
を備えることを特徴とする。
【０００７】
他の端末装置と通信を行って通信機能を実行する通信手段と、コミュニケーションの相手と各相手が使用する端末装置とを対応付ける相手情報を記憶する相手情報記憶手段と、を更に備え、
前記通信手段は、他の端末装置から該端末装置の状況を示す状況情報を受信し、
前記履歴記憶手段は、前記特定手段が特定したコミュニケーションの相手が使用する相手端末装置を前記相手情報に基づいて特定し、特定した端末装置の状況情報を前記自端末装置の状況情報と共に記憶し、
前記候補表示手段は、前記状況情報生成手段が生成した現在の自端末装置の状況情報及び前記通信手段が受信した他の端末装置の状況情報と、前記履歴記憶手段が記憶している情報に含まれている自端末装置の状況情報及び前記相手端末装置の状況情報とのマッチングに基づいて、コミュニケーションの相手の候補と実行する機能の候補との組を求めて表示してもよい。
【０００８】
前記状況情報は、前記端末装置の所在を示す場所、設定、及び計時された時刻を特定する情報を含んでもよい。
【０００９】
上記の目的を達成するため、本発明の第２の観点に係るプログラムは、
複数の機能を備える端末装置を制御するコンピュータに、
コミュニケーションの相手と前記複数の機能のうちの任意の機能とを特定する特定機能と、
前記特定機能により特定された相手に関し、特定された機能を実行する実行機能と、
自端末装置の状況を示す状況情報を生成する状況情報生成機能と、
前記実行機能により特定された機能が実行されたときに、前記特定機能により特定された相手を示す相手情報と、特定及び実行された機能と、前記状況情報生成機能により生成された状況情報と、を対応付ける情報を記憶する履歴記憶機能と、
前記状況情報生成機能が生成した自端末装置の状況情報と、前記履歴記憶機能が記憶している情報に含まれている状況情報とのマッチングに基づいて、コミュニケーションの相手の候補と実行する機能の候補との組を求めて表示する候補表示機能と、
を実現させる。
【発明の効果】
【００１０】
本発明によれば、所定の通信相手に対し、所望の機能を容易に実行することができる。
【発明を実施するための最良の形態】
【００１１】
本実施形態にかかる端末装置１００は、例えば、携帯電話機やＰＨＳ（Personal Handy-phone System）などといった移動体通信用の端末装置であり、基本機能である音声通話機能の他に、インターネットなどを介してデータ通信を行い、ウェブサイトなどにアクセスするデータ通信機能、端末装置１００の位置を認識する位置認識機能及びスケジュール機能等の多数の機能を有しているものとする。また、自ら（ユーザ）の端末装置１００と他（通信相手）の端末装置１００は同一の構成とする。
【００１２】
端末装置１００は、図１に示すように、制御部１１０と、通信部１２０と、アンテナ１２１と、操作部１３０と、表示部１４０と、報知部１４１と、記憶部１５０と、などから構成される。
【００１３】
制御部１１０は、ＣＰＵ（Central Processing Unit）、メモリ等から構成され、端末装置１００の各部を制御する。このような制御は、制御部１１０が実行する記憶部１５０に格納された所定のプログラムに基づいて行われる。
【００１４】
通信部１２０は、例えば、所定の無線通信回路などから構成され、アンテナ１２１を介して基地局との無線通信を行うことで、音声通話やデータ通信を行う。また、通信部１２０は、例えば、所定のＧＰＳ（Global Positioning System）用通信回路などを備え、図８に示すように、ＧＰＳ用の人工衛星ＡＳとの通信を行い端末装置１００の位置を示す座標情報などを取得する。
【００１５】
操作部１３０は、例えば、操作ボタンと入力回路などから構成される。操作ボタンは、端末装置１００の外面に配列され、端末装置１００のユーザによって操作される。入力回路は、ユーザのボタン操作に応じた入力信号を生成し、制御部１１０に供給する。また、操作部１３０には、端末装置１００の電源をオン又はオフにするための電源ボタンが設けられている。ユーザは操作部１３０を介して通信相手や任意の機能を選択できる。
【００１６】
表示部１４０は、例えば、液晶表示装置などから構成され、制御部１１０の制御によって画像等を表示出力する。
【００１７】
報知部１４１は、例えば、音声出力装置、振動発生装置又は発光装置などから構成され、制御部１１０の制御によって所定の電子音、振動又は発光等を発生出力する。報知部１４１は、後述する状況情報生成部１１１が生成した他の端末装置１００の状況を示す状況情報が変化した場合に、変化した状況情報をユーザに報知する。
【００１８】
記憶部１５０は、例えば、フラッシュメモリなどの不揮発性メモリやＲＡＭ（Random Access Memory）等の記憶装置から構成され、制御部１１０が実行するプログラムを格納する他、種々のデータを格納する。記憶部１５０は、図１に示すように、プログラム格納領域１５１と、状況情報格納領域１５２と、履歴情報格納領域１５３と、機能格納領域１５４と、相手情報格納領域１５５と、などの記憶領域から構成される。
【００１９】
プログラム格納領域１５１には、制御部１１０が実行するプログラムが格納される。ここで、制御部１１０がプログラム格納領域１５１に格納されているプログラムを実行することで、本実施形態にかかる処理をおこなうための機能構成が実現される。
【００２０】
状況情報格納領域１５２には、図３に示すように、登録名Ｔ１０１と、状態Ｔ１０２と、場所Ｔ１０３と、設定Ｔ１０４と、ステータスＴ１０５と、時刻Ｔ１０６と、を含む現在の状況情報が格納される。
【００２１】
登録名Ｔ１０１は、ユーザが操作部１３０を介して入力した通信相手の名前を示す情報である。ユーザは登録名Ｔ１０１の情報を任意に変更又は削除することができる。
【００２２】
状態Ｔ１０２は、ユーザの端末装置１００及び通信相手の端末装置１００が置かれた場面の状況を示す情報である。例えば、通信情報端末１００の電源のオン・オフを示す情報や、移動中・会議中・講義中といったユーザ及び通信相手の状態を示す場面状況の情報である。図８に示すように、ユーザの端末装置１００は通信網ＣＮに接続することにより、通信相手の端末装置１００の場面状況を取得する。また、通信相手から場面状況の変化があった旨の通知を受けたことにより、該当する状態Ｔ１０２の情報は変化する。
【００２３】
場所Ｔ１０３は、端末装置１００の位置を示す座標情報や、住所を示す情報である。端末装置１００は無線基地局ＢＳを介し通信網ＣＮに接続することにより、座標情報に基づく住所情報を取得する。
【００２４】
設定Ｔ１０４は、端末装置１００が備える各種機能における設定を示す情報である。ユーザは操作部１３０を介して設定Ｔ１０４に登録する情報を設定する。
【００２５】
ステータスＴ１０５は、通信や通話が可能か否か等を示すステータス情報である。状態Ｔ１０２と同様に、通信相手の端末装置１００と通信を行い、ステータス情報を取得することにより、ステータスＴ１０５の情報は変化する。
【００２６】
時刻Ｔ１０６は、時計部（図示せず）が計時した時刻を示す情報である。ユーザの時刻Ｔ１０６については、時計部が計時した現在時刻情報が格納される。また、通信相手の時刻Ｔ１０６については、通信・通話等を行った最終時刻情報が格納される。制御部１１０は、通信等を行った場合に、通信相手の時刻Ｔ１０６の情報を更新する。
【００２７】
履歴情報格納領域１５３には、図４に示すように、優先登録者Ｔ２０１と、使用機能Ｔ２０２と、最終使用時刻Ｔ２０３と、使用回数Ｔ２０４と、を含む履歴情報が格納される。また、図３に示す現在の状況情報が履歴情報格納領域１５３に累積的に格納される。格納された履歴情報は過去の状況情報として利用される。
【００２８】
優先登録者Ｔ２０１は、登録名Ｔ１０１に登録された中で、優先度（通信頻度）が高い通信相手を示す情報である。制御部１１０は、履歴情報格納領域１５３に格納された情報に基づき、通信頻度が高い上位５人程度の通信相手情報を、優先登録者Ｔ２０１に格納する。また、ユーザは、操作部１３０を介して優先登録者Ｔ２０１に通信相手情報を登録又は削除する操作を行うことができる。
【００２９】
使用機能Ｔ２０２は、優先登録者Ｔ２０１に対して使用した機能を示す情報である。優先登録者Ｔ２０１に対してユーザが使用した機能が複数ある場合には、複数の機能が登録される。使用機能Ｔ２０２には、通信相手と通信を行う通話機能や電子メール機能を備える情報だけでなく、優先登録者Ｔ２０１との予定が記入されたスケジュール機能を備えた情報等も格納される。
【００３０】
最終使用時刻Ｔ２０３は、優先登録者Ｔ２０１に対して、ユーザが機能を最後に使用した時刻を示す情報である。最終使用時刻Ｔ２０３には、使用機能Ｔ２０２に対応した時刻情報が格納される。
【００３１】
使用回数Ｔ２０４は、ユーザが機能を使用した累積回数を示す情報である。使用回数Ｔ２０４には、使用機能Ｔ２０２に対応した使用回数情報が格納される。
【００３２】
機能格納領域１５４には、例えば、通話、電子メール、ブラウザ、スケジュール、などの予め端末装置１００に格納されている機能、及びインターネットなどを介してダウンロードした機能が格納される。
【００３３】
相手情報格納領域１５５には、他の端末情報の使用ユーザを特定する情報が格納される。例えば、他の端末装置１００を所有する所有者名情報、電話番号や電子メールアドレスを特定する情報が格納される。ユーザは操作部１３０を介して所定の情報を任意に追加、変更又は削除することができる。
【００３４】
次に、制御部１１０によって実現される機能構成を示す機能ブロック図を図２に示す。制御部１１０は、状況情報生成部１１１と、指示部１１２と、表示制御部１１３と、起動制御部１１４と、履歴情報格納処理部１１５と、などから構成される。
【００３５】
状況情報生成部１１１は、通信部１２０と操作部１３０と記憶部１５０との協働により、端末装置１００の状況情報を生成し、該状況情報を履歴情報格納処理部１１５に伝達する。状況情報生成部１１１は、状況情報が変化する毎に履歴情報格納処理部１１５に状況情報を伝達する。端末装置１００は、図８に示すように、無線基地局ＢＳを介し通信網ＣＮに接続することにより、他の端末装置１００についての状況情報を取得する。状況情報生成部１１１は、人工衛星ＡＳとの通信を行うことにより、自ら及び他の端末装置１００の位置を示す情報を取得する。また、状況情報生成部１１１は、自端末装置１００の状況情報が変化したか否かを判別し、該状況情報が変化した場合には、通信部１２０を制御し該状況情報を他の端末装置１００に無線基地局ＢＳを介して送信する。
【００３６】
指示部１１２は、所定の処理が行われた場合に機能を自動で選択するように指示命令する。例えば、端末装置１００の電源がオン状態となり表示部１４０に初期画面（待ち受け画面）が表示されたこと、ユーザの操作により待ち受け画面が表示する指示がなされたこと、また、所定の時刻になったこと等の処理に基づき、表示制御部１１３に信号を送信する。
【００３７】
表示制御部１１３は、指示部１１２からの信号を受信することにより、また、操作部１３０を介してユーザからの指示を受けることにより、所定の情報を表示部１４０に表示する。表示制御部１１３は、状況情報格納領域１５２に格納された状況情報と履歴情報格納領域１５３に格納された履歴情報とを取得し、両情報とのマッチングに基づいて、通信相手及び機能の候補を表示する。表示された候補中から機能が選択されると、表示制御部１１３は機能を実行するための起動信号を起動制御部１１４に送信する。また、状況情報生成部１１１が生成した他の端末装置１００の状況情報が変化した場合には、変化した状況情報を表示部１４０に表示する。
【００３８】
起動制御部１１４は、操作部１３０と記憶部１５０との協働により、機能格納領域１５４に格納された機能を実行する。起動制御部１１４は、操作部１３０からの入力信号を受信することにより機能を実行し、また、表示制御部１１３からの起動信号を受信することによっても機能を実行する。
【００３９】
履歴情報格納処理部１１５は、状況情報生成部１１１が生成した状況情報を取得し、状況情報格納領域１５２と履歴情報格納領域１５３に格納する。履歴情報格納処理部１１５は、取得したすべての状況情報を履歴情報格納領域１５３に格納する。
【００４０】
次に、図５のフローチャートを参照して、履歴情報を格納する方法について説明する。本フローの処理は、他の端末装置１００との通信・通話を実行することにより開始される。また、登録名Ｔ１０１に登録された通信相手を特定して、スケジュール表に予定を記入した際にも本フローの処理が開始される。本フローの処理により、図３及び図４に示す各情報は、状況情報格納領域１５２及び履歴情報格納領域１５３に格納される。
【００４１】
ステップＳ１００にて、登録名Ｔ１０１の中からユーザが選択した通信相手の情報を優先登録者Ｔ２０１に格納し、ステップＳ１０１へ遷移する。なお、通信相手の情報が優先登録者Ｔ２０１にすでに格納されている場合には、制御部１１０は通信相手の情報を格納しない。
【００４２】
ステップＳ１０１にて、状況情報生成部１１１が生成した現在の状況情報を、状態Ｔ１０２から時刻Ｔ１０６にそれぞれ格納し、ステップＳ１０２へ遷移する。
【００４３】
ステップＳ１０２にて、ユーザが使用した機能に基づく各情報を、使用機能Ｔ２０２、最終使用時刻Ｔ２０３、使用回数Ｔ２０４にそれぞれ格納する。また、使用機能Ｔ２０２に格納された機能情報や状態Ｔ１０２から時刻Ｔ１０６に格納された現在の状況情報を、過去の状況情報として保存し、本フロー処理は終了する（終了）。
【００４４】
以上の処理によって、図３及び図４に示す各情報は所定の格納領域に格納される。所定の格納領域に格納された各情報を用いて、通信相手及び機能の候補を表示することができる。
【００４５】
次に、図６のフローチャートを参照して、通信相手の候補及び機能の候補を表示する方法について説明する。本フローの処理は、表示制御部１１３が指示部１１２からの信号を受信したこと、また、操作部１３０を介してユーザからの指示に応答して、開始される。
【００４６】
ステップＳ２００にて、状況情報格納領域１５２に格納された現在の状況と、履歴情報格納領域１５３に格納された履歴状況に含まれる過去の状況とを取得し、ステップＳ２０１へ遷移する。
【００４７】
ステップＳ２０１にて、現在の状況と過去の状況とが一致するか否かを判定する。制御部１１０は、時計部が計時する現在の時間（帯）と、履歴情報格納領域１５３に格納された時刻Ｔ１０６の過去の時間（帯）と、が一致するか否かを判定する。一致する場合には、制御部１１０は時刻Ｔ１０６の情報に対応する登録名Ｔ１０１に登録された通信相手を特定し、該通信相手と一致する優先登録者Ｔ２０１の情報から通信頻度の高い通信相手を抽出する。さらに、該通信相手に対応する使用機能Ｔ２０２の情報から使用頻度の高い機能についても抽出することができる。
【００４８】
ステップＳ２０１において、状況情報が一致すると判定された場合（ステップＳ２０１；Ｙｅｓ）、ステップＳ２０２へ遷移し、通信相手の候補を表示する。これにより、ユーザは現在の状況に適した通信相手を容易に選択することができる。
一方、ステップＳ２０１において、状況情報が一致しないと判定された場合（ステップＳ２０１；Ｎｏ）、通信相手及び機能の候補を表示することなく、本フロー処理は終了する（終了）。
【００４９】
ステップＳ２０２にて、図７に示すように、優先登録者Ｔ２０１に格納された通信相手の候補を表示する。通信相手が複数いる場合には、通信相手に対応する使用回数Ｔ２０４の合計回数の高い順に通信相手を表示する。表示される通信相手の候補は上位５人程度である。なお、最終使用時刻Ｔ２０３の時刻が、時計部が計時する時刻と近い順に通信相手候補を表示することもできる。
【００５０】
ステップＳ２０３にて、図７に示すように、使用機能Ｔ２０２に格納された機能についての候補を表示部１４０に表示する。機能の候補が複数ある場合には、使用回数Ｔ２０４が多い順番（降順）に機能の順番を並び替え、機能の候補を左側から順に表示する。表示される機能の候補は上位５つ程度である。
【００５１】
ステップＳ２０４にて、ユーザが操作部１３０を介して操作することにより通信相手先を変更した否かを判定する。
【００５２】
ステップＳ２０４において、通信相手を変更したと判定された場合（ステップＳ２０４；Ｙｅｓ）、ステップ２０３に遷移し、新たに選択された通信相手について、機能の候補を表示する。表示された通信相手先である選択候補をユーザが変更する毎に、該通信相手に対応する使用頻度の高い機能が表示される。
一方、ステップＳ２０４において、通信相手を変更していないと判定された場合（ステップＳ２０４；Ｎｏ）、ステップＳ２０５へ遷移する。
【００５３】
ステップＳ２０５にて、ユーザが機能を選択したことに応答して機能が実行され、本フロー処理は終了する（終了）。
【００５４】
以上の処理によって、使用頻度の高い通信相手の候補が表示部１４０に表示され、さらに該通信相手に対して使用頻度が高い機能の候補が表示される。現在の状況に対応する通信相手と該通信相手に使用する機能とをユーザは容易に選択することができる。
【００５５】
なお、本発明は上記実施の形態に限定されず、種々の変形及び応用が可能である。
【００５６】
ステップＳ１００からステップＳ１０２の順序は、任意に変更することができる。
【００５７】
ステップＳ２０１にて、ユーザと通信相手との現在の状況情報について一致するか否かを判定することもできる。制御部１１０は、図３に示す場所Ｔ１０３の示すユーザ情報と通信相手情報との一致を判定することにより、通信相手を抽出することができる。また、制御部１１０は、図３に示す状態Ｔ１０２の情報から、通信不可能な通信相手を判定し、通信相手の候補として表示しないこともできる。
【００５８】
ステップＳ２０２及びステップＳ２０３にて、表示される候補数は、任意に変更することができる。また、候補の表示方法は、縦並び又は横並び等、任意に変更することができる。
【図面の簡単な説明】
【００５９】
【図１】本発明の実施形態にかかる端末装置の内部構成を示すブロック図である。
【図２】図１に示す制御部によって実現される機能構成を示す機能ブロック図である。
【図３】状況情報格納領域に格納される情報の例を示す図である。
【図４】履歴情報格納領域に格納される情報の例を示す図である。
【図５】履歴情報を格納する方法を説明するためのフローチャートである。
【図６】通信相手及び機能の候補を表示する方法を説明するためのフローチャートである。
【図７】通信相手及び機能の候補が表示された画面表示例を示す図である。
【図８】端末装置の無線通信を示す概略構成図である。
【符号の説明】
【００６０】
１００…端末装置、１１０…制御部、１１１…状況情報生成部、１１２…指示部、１１３…表示制御部、１１４…起動制御部、１１５…履歴情報格納処理部、１２０…通信部、１２１…アンテナ、１３０…操作部、１４０…表示部、１４１…報知部、１５０…記憶部、１５１…プログラム格納領域、１５２…状況情報格納領域、１５３…履歴情報格納領域、１５４…機能格納領域、１５５…相手情報格納領域、ＡＳ…人工衛星、ＢＳ…無線基地局、ＣＮ…通信網
【図１】
2009049892.tif 000003
【図２】
2009049892.tif 000004
【図３】
2009049892.tif 000005
【図４】
2009049892.tif 000006
【図５】
2009049892.tif 000007
【図６】
2009049892.tif 000008
【図７】
2009049892.tif 000009
【図８】
2009049892.tif 000010